(57)【要約】【課題】タンク内の液量の読み取り間違いを良好に抑制する液面レベル同位計及び液面レベル同位計付きタンクを提供する。【解決手段】液面レベル同位計１４は、液体を蓄えるタンクに取り付けられる液面レベル同位計であって、タンク上部にそれぞれ取り付ける第１及び第２定滑車部１５，１９と、タンク内に蓄えられる液体の液面に浮遊させるフロート１６と、フロート１６と第１定滑車部１５を介して第１紐体１７で連結されたバランスウェイト１８と、バランスウェイト１８と第２定滑車部１９を介して第２紐体２０で連結された液面指示部２１と、を備える。【選択図】図１
0003139198.tif 000002
【実用新案登録請求の範囲】
【請求項１】
液体を蓄えるタンクに取り付けられる液面レベル同位計であって、
上記タンク上部にそれぞれ取り付ける第１及び第２定滑車部と、
上記タンク内に蓄えられる液体の液面に浮遊させるフロートと、
上記フロートと上記第１定滑車部を介して第１紐体で連結されたバランスウェイトと、
上記バランスウェイトと上記第２定滑車部を介して第２紐体で連結された液面指示部と、
を備えた液面レベル同位計。
【請求項２】
タンク本体と、タンク本体内に蓄えられる液体の液面レベルを検知する液面レベル同位計と、を備えた液面レベル同位計付きタンクであって、
上記液面レベル同位計は、
上記タンク本体側壁上部にそれぞれ設けられた第１及び第２定滑車部を備えると共に、
上記タンク本体内に蓄えられる液体の液面に浮遊するフロートと、
上記フロートと上記第１定滑車部を介して第１紐体で連結されたバランスウェイトと、
上記バランスウェイトと上記第２定滑車部を介して第２紐体で連結された液面指示部と、
を備えた液面レベル同位計付きタンク。
【請求項３】
請求項２に記載された液面レベル同位計付きタンクにおいて、
上記液面指示部は、上記タンク本体外側において、該タンク本体内に蓄えられる液体の液面に浮遊するフロートと同じ高さに位置するように上記バランスウェイトによって調整されている液面レベル同位計付きタンク。
【考案の詳細な説明】
【技術分野】
【０００１】
本考案は、液面レベル同位計及び液面レベル同位計付きタンクに関する。
【背景技術】
【０００２】
図３に、従来の一般的な液面レベル計（フロートゲージ）１０１を備えた燃料タンク又は貯水タンク等の液体タンク１００を示す。液体タンク１００の液面レベル計１０１は、タンク本体１０２内に蓄えられた液体の液面１０４の高さをタンク本体１０２外から目視で確認し得るように構成されている。すなわち、液面レベル計１０１は、液面１０４に浮遊するフロート１０５に対して、ワイヤー１０６の一端を連結し、そのワイヤー１０６の他端をタンク本体１０２の側壁上部に設けた定滑車部１０７を介して、タンク本体１０２外側に設けた液面指示部１０８に連結することにより構成されている。
【考案の開示】
【考案が解決しようとする課題】
【０００３】
しかしながら、従来の液面レベル計１０１は、タンク本体１０２の側壁上部に設けた定滑車部１０７を基点としてフロート１０５と液面指示部１０８とが吊り下げられるように配置されているため、タンク本体１０２内の液面１０４が下がってフロート１０５が下降すると、液面指示部１０８が上昇する。このような構成の液体タンク１００においては、タンク本体１０２内の液量が減少するにしたがい液面指示部１０８がタンク本体１０２の側壁に沿って上昇し、タンク本体１０２内の液量が増大するにしたがい液面指示部１０８がタンク本体１０２の側壁に沿って下降する。このため、タンク本体１０２内の液量が空になりつつあるのに液量が満タンに近いと勘違いを起こしやすい一方、タンク本体１０２内の液量が満タンになりつつあるのに液量が空に近いと勘違いを起こしやすいという問題があり、このような液量の読み取り間違いが原因で、特に停電・災害等の緊急時に事故を招来しかねなかった。
【０００４】
本考案は、斯かる諸点に鑑みてなされたものであり、その目的とするところは、タンク内の液量の読み取り間違いを良好に抑制する液面レベル同位計及び液面レベル同位計付きタンクを提供することである。
【課題を解決するための手段】
【０００５】
本考案に係る液面レベル同位計は、液体を蓄えるタンクに取り付けられる液面レベル同位計であって、タンク上部にそれぞれ取り付ける第１及び第２定滑車部と、タンク内に蓄えられる液体の液面に浮遊させるフロートと、フロートと第１定滑車部を介して第１紐体で連結されたバランスウェイトと、バランスウェイトと第２定滑車部を介して第２紐体で連結された液面指示部と、を備えたことを特徴とする。
【０００６】
また、本考案に係る液面レベル同位計付きタンクは、タンク本体と、タンク本体内に蓄えられる液体の液面レベルを検知する液面レベル同位計と、を備えた液面レベル同位計付きタンクであって、液面レベル同位計は、タンク本体側壁上部にそれぞれ設けられた第１及び第２定滑車部を備えると共に、タンク本体内に蓄えられる液体の液面に浮遊するフロートと、フロートと第１定滑車部を介して第１紐体で連結されたバランスウェイトと、バランスウェイトと第２定滑車部を介して第２紐体で連結された液面指示部と、を備えたことを特徴とする。
【０００７】
このような構成の液面レベル同位計及び液面レベル同位計付きタンクによれば、液面レベル同位計が、フロート及び液面指示部とそれぞれ第１又は第２定滑車部で連結されたバランスウェイトを備えるため、タンク内の液面が下がってフロートが下降するとバランスウェイトがそれに伴って上昇する一方、バランスウェイトが上昇すると液面指示部がそれに伴って下降する。また、タンク内の液面が上がってフロートが上昇するとバランスウェイトがそれに伴って下降する一方、バランスウェイトが下降すると液面指示部がそれに伴って上昇する。したがって、液面指示部がフロートの上昇に連動して上昇し、フロートの下降に連動して下降するため、例えばタンク内の液量が空になりつつあるのに液量が満タンに近いと勘違いを起こすことがなく、タンク内の液量の読み取り間違いが良好に抑制される。
【０００８】
なお、本考案において、液面レベル同位計は、タンク内の液面レベルを所定の基準に基づいて測定することにより、例えば基準位置からの液面レベルの高さを数値で表示するものであってもよく、所定の基準に基づくことなくタンクの液面レベルの概ねの高さを観察者に認識させるものであってもよい。
【０００９】
また、本考案に係る液面レベル同位計付きタンクは、液面指示部が、タンク本体外側において、タンク本体内に蓄えられる液体の液面に浮遊するフロートと同じ高さに位置するようにバランスウェイトによって調整されていることを特徴とする。
【００１０】
このような構成によれば、液面指示部がフロートと同じ高さに位置するようにバランスウェイトによって調整されているため、液面指示部の高さを目視で確認すれば、その位置がそのままタンク内の液面の高さを示すことになる。したがって、外部からタンク内の液面高さを容易に確認することができる。
【考案の効果】
【００１１】
本考案によれば、タンク内の液量の読み取り間違いを良好に抑制する液面レベル同位計及び液面レベル同位計付きタンクを提供することができる。
【考案を実施するための最良の形態】
【００１２】
以下、本考案の実施形態に係る液面レベル同位計１４及び液面レベル同位計付きタンク１０について図面を用いて詳細に説明するが、本考案はこれらに限定されるものではない。また、本考案の実施形態に係る液面レベル同位計１４及び液面レベル同位計付きタンク１０は、どのようなものにも用いることが可能であり、例えば、燃料タンク又は貯水タンク等に好適に用いられるものである。
【００１３】
（実施形態）
（液面レベル同位計１４及び液面レベル同位計付きタンク１０の構成）
図１は、本考案の実施形態に係る液面レベル同位計１４及び液面レベル同位計付きタンク１０の断面模式図を示す。液面レベル同位計付きタンク１０は、タンク本体１１、タンク本体１１の側壁１３部分に設けられた液面レベル同位計１４で構成されている。
【００１４】
タンク本体１１は、略矩形の平板状底面部３５、及び、平板状底面部３５の周端から起立するようにそれぞれ設けられた側壁１３で構成されている。尚、タンク本体１１の形状は、これに限らず、例えば有底の円筒形状等に形成されていてもよい。タンク本体１１の構成材料は、どのようなものでもよい。例えば、鋼板、ステンレス鋼、ＦＲＰ樹脂等を用いることができる。
【００１５】
液面レベル同位計１４は、第１定滑車部１５、フロート１６、第１ワイヤ１７（第１紐体）、バランスウェイト１８、第２定滑車部１９、第２ワイヤ２０（第２紐体）、液面指示部２１、及び、定滑車保護カバー２２で構成されている。
【００１６】
第１定滑車部１５は、第１Ａ定滑車１５ａ及び第１Ｂ定滑車１５ｂで構成されている。
【００１７】
第１Ａ定滑車１５ａは、タンク本体１１の側壁１３上に固定配置されている。第１Ａ定滑車１５ａは、中心軸２３及び回転ロール２４で構成されている。
【００１８】
第１Ｂ定滑車１５ｂは、第１Ａ定滑車１５ａと同じ高さで且つタンク本体１１内側へ所定幅だけ水平方向に離間して固定配置されている。第１Ｂ定滑車１５ｂは、中心軸２５及び回転ロール２６で構成されている。第１Ｂ定滑車１５ｂの回転ロール２６の半径は、第１Ａ定滑車１５ａの回転ロール２４の半径と同程度に形成されている。
【００１９】
フロート１６は、第１定滑車部１５を通る鋼線等で形成された第１ワイヤ１７の一端に取り付けられ、タンク本体１１内に蓄えられる液体の液面４０に浮遊するように配置されている。フロート１６は、タンク本体１１内に蓄えられる液体により所定の浮力を得るように構成されている。
【００２０】
フロート１６に一端が取り付けられた第１ワイヤ１７は、第１定滑車部１５を通り、その他端がバランスウェイト１８に取り付けられている。
【００２１】
第２定滑車部１９は、タンク本体１１の側壁１３上部であって、第１Ａ定滑車１５ａと隣接し、第１Ａ定滑車１５ａと同じ高さで且つタンク本体１１外側へ所定幅だけ水平方向に離間して固定配置されている。第２定滑車部１９は、中心軸２７及び回転ロール２８で構成されている。第２定滑車部１９の回転ロール２８の半径は、第１Ａ定滑車１５ａの回転ロール２４の半径と同程度に形成されている。
【００２２】
液面指示部２１は、第２定滑車部１９を通る鋼線等で形成された第２ワイヤ２０の一端に取り付けられ、タンク本体１１外側へ垂れ下がるように配置されている。液面指示部２１は、直方体形状に形成された指示部本体２９、及び、指示部本体２９の表面に突出して形成された水平に延びる指針３０で構成されている。
【００２３】
液面指示部２１に一端が取り付けられた第２ワイヤ２０は、第２定滑車部１９を通り、その他端がバランスウェイト１８に取り付けられている。
【００２４】
定滑車保護カバー２２は、第１定滑車部１５及び第２定滑車部１９を覆うように設けられている。定滑車保護カバー２２の構成材料はどのようなものであってもよい。
【００２５】
バランスウェイト１８は、第１Ａ定滑車１５ａからの第１ワイヤ１７及び第２定滑車部１９からの第２ワイヤ２０にそれぞれ連結され、タンク本体１１外側に垂れ下がるように配置されている。バランスウェイト１８は、第２ワイヤ２０によって互いに連結された液面指示部２１と、第１ワイヤ１７によって互いに連結されたフロート１６とが、同じ高さに位置するようなウェイトに調整されている。バランスウェイト１８を構成する材料は、どのようなものでもよく、例えば、ステンレス鋼等を用いて構成されている。
【００２６】
（液面レベル同位計１４及び液面レベル同位計付きタンク１０の動作）
次に、本考案の実施形態に係る液面レベル同位計１４及び液面レベル同位計付きタンク１０の動作について説明する。
【００２７】
まず、タンク本体１１内の液量が減少すると、タンク本体１１内の液面４０が下がってフロート１６が下降する。このとき、第１定滑車部１５により定滑車方式でフロート１６とバランスウェイト１８とが第１ワイヤ１７で連結されているため、フロート１６が下降するとバランスウェイト１８がそれに伴って同じ距離だけ上昇する。
【００２８】
バランスウェイト１８が上昇すると、第２定滑車部１９により定滑車方式でバランスウェイト１８と液面指示部２１とが第２ワイヤ２０で連結されているため、液面指示部２１がそれに伴って同じ距離だけ下降する。
【００２９】
また、タンク本体１１内の液量が増大したときも、上記と同様の原理でフロート１６の上昇に伴って液面指示部２１も同じ距離だけ上昇する。
【００３０】
したがって、フロート１６の下降及び上昇と同じタイミングで且つ同じ距離だけ液面指示部２１も下降及び上昇するため、初めにフロート１６と液面指示部２１とを同じ高さに配置しておけば、液面指示部２１の移動によって変わる高さ位置が、タンク内の液面４０の高さ位置を示していることになる。
【００３１】
上述のような構成によれば、液面指示部２１がフロート１６の上昇に連動して上昇し、フロート１６の下降に連動して下降するため、例えばタンク本体１１内の液量が空になりつつあるのに液量が満タンに近いと勘違いを起こすことがなく、タンク本体１１内の液量の読み取り間違いが良好に抑制される。
【００３２】
また、液面指示部２１がフロート１６と同じ高さに位置するようにバランスウェイト１８によって調整されているため、液面指示部２１の高さを目視で確認すれば、その位置がそのままタンク本体１１内の液面４０の高さを示すことになる。したがって、外部からタンク本体１１内の液面４０の高さを容易に確認することができる。
【００３３】
（他の実施形態）
また、液面レベル同位計付きタンク１０は、図２に示すように、タンク本体１１の側壁１３に沿って上下に延びるようにガイドレール３１を設けてもよい。
【００３４】
図２の液面レベル同位計付きタンク１０において、ガイドレール３１は、タンク本体１１の側壁１３に沿って上下に延びるように形成された溝部３２内に嵌め込まれている。
【００３５】
ガイドレール３１表面には、液面レベルを確認するための目盛りが形成されている。
【００３６】
上述のような構成によれば、液面指示部２１が、上下動の際に、ガイドレール３１に沿ってより規則的に安定して移動することができる。また、指示部本体２９がガイドレール３１内に隠され、指針３０のみがガイドレール３１の表面から突出して目盛りを指し示すため、より容易にタンク本体１１内の液面レベルを確認することができる。
【産業上の利用可能性】
【００３７】
以上説明したように、本考案は、液面レベル同位計及び液面レベル同位計付きタンクに関する。
【図面の簡単な説明】
【００３８】
【図１】本考案の実施形態に係る液面レベル同位計１４及び液面レベル同位計付きタンク１０の断面模式図を示す。
【図２】本考案の実施形態に係るガイドレール３１を備えた液面レベル同位計１４及び液面レベル同位計付きタンク１０の斜視図を示す。
【図３】従来の液面レベル計付きタンク１００の断面模式図を示す。
【符号の説明】
【００３９】
１０      タンク
１１      タンク本体
１３      側壁
１４      液面レベル同位計
１５      第１定滑車部
１６      フロート
１７      第１ワイヤ（第１紐体）
１８      バランスウェイト
１９      第２定滑車部
２０      第２ワイヤ（第２紐体）
２１      液面指示部
４０      液面
【図１】
0003139198.tif 000003
【図２】
0003139198.tif 000004
【図３】
0003139198.tif 000005